(57)【要約】【課題】初心者であっても、撮影モード及び再生モード時の操作を含む操作方法を容易に習得することのできる電子カメラを得る。【解決手段】撮影モード及び再生モード時の操作手順を含む操作方法を説明する説明モードを設定する説明モード設定手段と、説明モードが設定されると、操作すべき操作部材がある場合には、その操作部材の操作を促すための絵と文字とを表示手段の画面上に表示させるオンスクリーン表示制御手段と、オンスクリーン表示制御手段の制御による、表示手段の画面上に表示された操作内容に応じて該当する操作部材が適正に操作されると、オンスクリーン表示制御手段の制御による表示手段の表示画面を次の操作用の表示画面に更新させ、又は一連の操作が終了した場合には説明モードを終了させる制御手段とを備える。【選択図】          図３
2004173029.tif 000002
【特許請求の範囲】
【請求項１】
撮影モードと再生モードとを有し、前記撮影モード時に撮影した画像を記録媒体に記録すると共に、前記再生モード時に前記記録媒体に記録された画像を表示手段に表示させる電子カメラにおいて、
前記撮影モード及び前記再生モード時の操作手順を含む操作方法を説明する説明モードを設定する説明モード設定手段と、
前記説明モードが設定されると、操作すべき操作部材がある場合には、その操作部材の操作を促すための絵と文字とを前記表示手段の画面上に表示させるオンスクリーン表示制御手段と、
前記オンスクリーン表示制御手段の制御による、前記表示手段の画面上に表示された操作内容に応じて該当する操作部材が適正に操作されると、前記オンスクリーン表示制御手段の制御による前記表示手段の表示画面を次の操作用の表示画面に更新させ、又は一連の操作が終了した場合には前記説明モードを終了させる制御手段と、
を備えたことを特徴とする電子カメラ。
【請求項２】
前記説明モード設定手段は、購入後に最初に電源が投入されると、自動的に説明モードに移行することを特徴とする請求項１に記載の電子カメラ。
【請求項３】
前記説明モード設定手段は、電源投入時に前記説明モードで起動するか否かを手動操作によって選択する選択手段を有することを特徴とする請求項１又は２に記載の電子カメラ。
【請求項４】
前記説明モード設定手段は、購入時からの撮影総枚数又は撮影時間が基準値に達すると、電源投入時に説明モードで起動することを禁止することを特徴とする請求項１に記載の電子カメラ。
【請求項５】
前記説明モード時に、前記表示手段の画面が各種の設定モードを設定する画面に移行すると、前記オンスクリーン表示制御手段は、前記表示手段の前記各種の設定モードを設定する画面上に、前記各種設定モードの内容を説明する文字を表示させることを特徴とする請求項１に記載の電子カメラ。
【発明の詳細な説明】
【０００１】
【発明の属する技術分野】
本発明は電子カメラに係り、特に、操作方法を表示手段の画面に表示させるようにした電子カメラに関する。
【０００２】
【従来の技術】
特許文献１には、撮影時の構図に関するアドバイスを、液晶表示装置に表示させるようにしたディジタル・スチル・カメラが記載されている。
【０００３】
【特許文献１】
特開２０００−３３３０４５
【０００４】
【発明が解決しようとする課題】
本発明は、初心者であっても、撮影モード及び再生モード時の操作を含む操作方法を容易に習得することのできる電子カメラを提案しようとするものである。
【０００５】
【課題を解決するための手段】
本発明は、撮影モードと再生モードとを有し、撮影モード時に撮影した画像を記録媒体に記録すると共に、再生モード時に記録媒体に記録された画像を表示手段に表示させる電子カメラにおいて、撮影モード及び再生モード時の操作手順を含む操作方法を説明する説明モードを設定する説明モード設定手段と、説明モードが設定されると、操作すべき操作部材がある場合には、その操作部材の操作を促すための絵と文字とを表示手段の画面上に表示させるオンスクリーン表示制御手段と、オンスクリーン表示制御手段の制御による、表示手段の画面上に表示された操作内容に応じて該当する操作部材が適正に操作されると、オンスクリーン表示制御手段の制御による表示手段の表示画面を次の操作用の表示画面に更新させ、又は一連の操作が終了した場合には説明モードを終了させる制御手段と、を備えた電子カメラである。
【０００６】
本発明の電子カメラによれば、撮影モードと再生モードとを有し、撮影モード時に撮影した画像を記録媒体に記録すると共に、再生モード時に記録媒体に記録された画像を表示手段に表示させる。説明モード設定手段は、撮影モード及び再生モード時の操作手順を含む操作方法を説明する説明モードを設定する。説明モードが設定されると、オンスクリーン表示制御手段が、操作すべき操作部材がある場合には、その操作部材の操作を促すための絵と文字とを表示手段の画面上に表示させる。オンスクリーン表示制御手段の制御による、表示手段の画面上に表示された操作内容に応じて該当する操作部材が適正に操作されると、制御手段によって、オンスクリーン表示制御手段の制御による表示手段の表示画面を次の操作用の表示画面に更新させ、又は一連の操作が終了した場合には説明モードを終了させる。
【０００７】
上述の本発明の電子カメラにおいては、説明モード設定手段は、購入後に最初に電源が投入されると、自動的に説明モードに移行するように構成することができる。
【０００８】
上述の本発明の電子カメラにおいては、説明モード設定手段は、電源投入時に説明モードで起動するか否かを手動操作によって選択する選択手段を有するように構成することができる。
【０００９】
上述の本発明の電子カメラにおいては、説明モード設定手段は、購入時からの撮影総枚数又は撮影時間が基準値に達すると、電源投入時に説明モードで起動することを禁止するように構成することができる。
【００１０】
上述の本発明の電子カメラにおいては、説明モード時に、表示手段の画面が各種の設定モードを設定する画面に移行すると、オンスクリーン表示制御手段は、表示手段の各種の設定モードを設定する画面上に、各種設定モードの内容を説明する文字を表示させるようにすることができる。
【００１１】
【発明の実施の形態】
以下に、図面を参照して、本発明の実施の形態の電子カメラの例を詳細に説明する。図１はデジタルカメラの背面側を示す。そのデジタルカメラの正面側には、図示を省略するも、撮影レンズ、その撮影レンズを通過した被写体光を受光する撮像素子（ＣＣＤ等）が設けられている。
【００１２】
図１において、デジタルカメラの筺体の上面の右端側には、モード設定ダイヤル１及びシャッターボタン２が設けられている。モード設定ダイヤル１は、静止画を記録する「静止画撮影モード」、撮影毎に新しいファイルを作成して動画を記録する「単独記録モード」、既に記録されている動画ファイルに動画を追加記録する「連続記録モード」等のモードを設定する操作手段であり、設定すべきモードの位置にダイヤルを合わせるように回転操作される。シャッターボタン２は、静止画の撮影開始を指示する手段であると共に、動画の撮影開始／停止を指示する手段（いわゆる録画スイッチ）として兼用される。シャッターボタン２は、半押し時にＯＮするスイッチと、全押し時にＯＮするスイッチとを有する二段式のスイッチで構成されている。
【００１３】
デジタルカメラの筺体の背面上において、３はファインダ接眼部である。４、５は、それぞれシフトキー及び表示キーである。６は、撮影モード／再生モード切り換えレバーである。ＰＷは電源スイッチで、切り換えレバー６の回動中心部に設けられ、その押圧毎に電源のオンオフが行われる。７、８は、それぞれキャンセルキー及び実行キーである。９、９はマルチファンクションの十字キーである。５４は液晶モニタである。
【００１４】
図２は、デジタルカメラの回路構成を概要を示し、以下、これについて説明する。撮影レンズ１０を通過した光は、絞り１２によって光量が調節された後、ＣＣＤ固体撮像素子（以下、ＣＣＤという。）１４に入射される。尚、ＣＣＤ１４に代えてＣＭＯＳイメージセンサその他の撮像デバイスを用いてもよい。
【００１５】
ＣＣＤ１４の受光面は多数のフォトセンサが平面的に配列され、ベイヤー配列その他の所定のカラーフィルター配列構造を備えている。撮影レンズ１０を介してＣＣＤ１４の受光面に結像された被写体の光学像は、各フォトセンサによって入射光量に応じた量の信号電荷に変換される。各フォトセンサに蓄積された信号電荷は、ＣＣＤ駆動回路１６から加えられるリードゲートパルスによってシフトレジスタに読み出され、レジスタ転送パルスによって信号電荷に応じた電圧信号として順次読み出される。
【００１６】
このＣＣＤ１４は、蓄積した信号電荷をシャッターゲートパルスによって掃き出すことができ、これにより電荷の蓄積時間（シャッタースピード）を制御する電子シャッター機能を有している。また、ＣＣＤ１４は、受光面のフォトセンサから信号電荷を読み出す際に、垂直方向に間引きして読み出す機能を有している。そして、動画記録時は垂直方向に間引いて読み出し、静止画記録時（高画素記録時）は間引かずに全画素のデータを読み出す。
【００１７】
ＣＣＤ１４から順次読み出された電圧信号は、相関二重サンプリング回路（ＣＤＳ回路）１８に加えられ、ここで各画素毎のＲ、Ｇ、Ｂ信号がサンプリングホールドされ、Ａ／Ｄ変換器２０に加えられる。Ａ／Ｄ変換器２０は、ＣＤＳ回路１８から順次加えられるＲ、Ｇ、Ｂ信号をデジタル信号に変換して出力する。尚、ＣＣＤ駆動回路１６、ＣＤＳ回路１８及びＡ／Ｄ変換器２０は、タイミング発生回路２２から加えられるタイミング信号によって同期して駆動される。
【００１８】
Ａ／Ｄ変換器２０から出力されたＲ、Ｇ、Ｂ信号は、一旦メモリ２４に格納され、その後、メモリ２４に格納されたＲ、Ｇ、Ｂ信号は、デジタル信号処理回路２６に加えられる。デジタル信号処理回路２６は、同時化回路２８、ホワイトバランス調整回路３０、ガンマ補正回路３２、Ｙ／Ｃ信号作成回路３４、及びメモリ３６等から構成されている。
【００１９】
同時化回路２８は、メモリ２４から読み出された点順次のＲ、Ｇ、Ｂ信号を同時式に変換し、Ｒ、Ｇ、Ｂ信号を同時にホワイトバランス調整回路３０に出力する。ホワイトバランス調整回路３０は、Ｒ、Ｇ、Ｂ信号のデジタル値をそれぞれ増減するための乗算器３０Ｒ、３０Ｇ、３０Ｂから構成されており、Ｒ、Ｇ、Ｂ信号は、それぞれ乗算器３０Ｒ、３０Ｇ、３０Ｂに加えられる。乗算器３０Ｒ、３０Ｇ、３０Ｂの他の入力には、中央処理装置（ＣＰＵ）（コンピュータ）３８からホワイトバランス制御するためのホワイトバランス補正値（ゲイン値）が加えられており、乗算器３０Ｒ、３０Ｇ、３０Ｂはそれぞれ２入力を乗算し、この乗算によってホワイトバランス調整されたＲ′、Ｇ′、Ｂ′信号をガンマ補正回路３２に出力する。
【００２０】
ガンマ補正回路３２は、ホワイトバランス調整されたＲ′、Ｇ′、Ｂ′信号が所望のガンマ特性となるように入出力特性を変更し、Ｙ／Ｃ信号作成回路３４に出力する。Ｙ／Ｃ信号作成回路３４は、ガンマ補正されたＲ、Ｇ、Ｂ信号から輝度信号Ｙとクロマ信号Ｃｒ、Ｃｂとを作成する。これらの輝度信号Ｙとクロマ信号Ｃｒ、Ｃｂ（ＹＣ信号）は、メモリ２４と同じメモリ空間のメモリ３６に格納される。
【００２１】
撮影時にメモリ３６に格納されたＹＣ信号は、圧縮／伸長回路５６に加えられる。圧縮／伸長回路５６の他の入力には、ＣＰＵ３８から予め設定された画質（ノーマル、ファイン等の圧縮率）を示す情報が加えられており、圧縮／伸長回路５６は、ＹＣ信号を設定された画質の圧縮率で圧縮する。ＪＰＥＧアルゴリズムでは、ＹＣ信号を８×８画素のブロックに分割し、各ブロックのデータを離散コサイン変換した後、圧縮率毎に準備されている量子化テーブルで除算する。更に、量子化されたデータをハフマンテーブルで符号化する。
【００２２】
このようにして符号化されたデータは、メディアコントローラ６０、カードインターフェース６２を通じて、記録媒体、即ち、スマートメディア、コンパクトフラッシュなどの半導体メモリカード６４に記録される。尚、記録媒体としてのメモリカード６４の代わりに、ＣＤ−Ｒ、ＤＶＤ−Ｒなどの円盤状の光磁気ディスクその他の記録媒体も可能である。記録媒体はリムーバブルメディアに限定されず、カメラに内蔵された記録媒体（内部メモリなど）であってもよい。
【００２３】
ＣＰＵ３８は、カメラの各部を制御する制御部であり、所定のプログラムに従ってカメラ全体の動作を制御する。ＣＰＵ３８は、図１に示したモード設定ダイヤル１、シャッターボタン２、十字キー９その他の各種の操作手段を含むカメラ操作部４０からの操作入力信号に基づいて各回路を統括制御し、オートフォーカス（ＡＦ）制御、自動露出（ＡＥ）制御、オートホワイトバランス（ＡＷＢ）、画像信号の処理制御、記録媒体の読み書き制御、液晶モニタ５４における表示制御等の各種制御を行う。
【００２４】
オートフォーカス制御は、例えばＧ信号の高周波成分が最大になるように撮影レンズ１０を移動させるコントラストＡＦであり、シャッターボタン２の半押し時にＧ信号の高周波成分が最大になるように駆動部４２を介して撮影レンズ１０を合焦位置に移動させる。
【００２５】
また、自動露出制御は、Ｒ、Ｇ、Ｂ信号を取り込み、これらのＲ、Ｇ、Ｂ信号の積算値に基づいて被写体輝度（撮影ＥＶ値）を求め、この撮影ＥＶ値に基づいて撮影時の絞り値とシャッタースピードを決定する。そして、静止画撮影モード時には、シャッターボタン２の全押し時に前記決定した絞り値になるように絞り駆動部４４を介して絞り１２を駆動し、また、決定したシャッタースピードとなるように電子シャッターによって電荷の蓄積時間を制御して１コマ分の画像データを取り込み、所要の信号処理を行った後、メモリカード６４に記録する。
【００２６】
尚、始めの露光は、予め決められた露光値で行われる。又、各分割エリア毎のＲ、Ｇ、Ｂ信号の平均演算値は、積算回路４８によって算出された後、ＣＰＵ３８に加えられている。積算回路４８とＣＰＵ３８との間には、乗算器５０Ｒ、５０Ｇ、５０Ｂが設けられており、乗算器５０Ｒ、５０Ｇ、５０Ｂには、機器のバラツキを調整するための調整ゲイン値が加えられるようになっている。
【００２７】
次に、上記の如く構成されたカメラ１によって動画を記録するときの動作について説明する。動画を撮影するときは、モード設定ダイヤル１を「単独記録モード」又は「連続記録モード」に合わせる。かかるダイヤル操作によってカメラは動画記録可能なモード（動画撮影記録モード）にセットされる。この場合、シャッターボタン２をワンプッシュすると、動画の撮影がスタートし、例えば、１秒間に３０コマのフレームレートで画像データがメモリ２４に取り込まれ、シャッターボタン２を再度ワンプッシュすると、動画の撮影が終了する。尚、シャッターボタン２を再度ワンプッシュしない場合でもメモリ２４の容量が一杯になると、自動的に動画の撮影が終了する。
【００２８】
動画の撮影が終了すると、続いて前記メモリ２４に一時記憶された画像データの信号処理や圧縮処理等が行われ、所定のファイル形式で記録媒体に記録される。本例ではＭｏｔｉｏｎ  ＪＰＥＧ  形式で記録するが、ファイル形式はこれに限定されず、ＭＰＥＧなど他のファイル形式を適用してもよい。
【００２９】
次に、動画撮影時の記録条件の設定方法及び連続記録モード時に使用する既存の動画のファイルの選択方法をについて説明する。いま、モード設定ダイヤル１によって連続記録モードを設定し、セットアップボタン（図示せず）を操作すると、ＲＯＭ５８から画質、画素数及びフレームレートなどの記録条件や連結画を選択するためのセットアップ画面が読み出され、このセットアップ画面がミクサ５２を介して液晶モニタ５４に表示される。
【００３０】
次に、図３及び図４のフローチャート並びに図５乃至図９の液晶モニタ５４の表示画面を参照して、本発明の実施の形態のデジタルカメラ及びそのデジタルカメラの制御プログラムの説明を行う。尚、図５乃至図９では、液晶モニタ５４の画面に通し番号（１）〜（１９）を付し、以下の説明では、これら通し番号によって、画面を指定して説明する。これらの画面（１）〜（１９）及び図示を省略した画面は、撮影モード及び再生モード時の操作手順を含む操作方法を説明するためのもので、画面（１）〜（１９）及び図示を省略した画面の表示信号は上述のＲＯＭ５８に予め記憶されており、図３及び図４のフローチャートに基づくＣＰＵ３８からの指令信号に応じて、選択されてミクサ５２に供給される。
【００３１】
以下に説明するデジタルカメラに関する操作説明のプログラムは、例えば、メモリカード６４に記憶され、ＣＰＵ３８の制御の下に、そのプログラムがメモリカード６４から、カードインターフェース６２、メディアコントローラ６０及びＣＰＵ３８を通じてＣＰＵ３８の内蔵ＲＡＭに格納される。このプログラムを、図示を省略したＲＯＭ（デジタルカメラを制御するプログラムが格納されている）に格納することもできる。
【００３２】
ステップＳ１０では、ＣＰＵ３８が、デジタルカメラの購入後の電源スイッチＰＷの押圧による最初の電源投入か否かを判別する。ステップＳ１０の判別結果がＹＥＳのときは、ステップＳ１２に移行する。尚、ステップＳ１０の判別結果がＮＯのときは、ステップＳ６２に移行するが、これについでは後述する。ステップＳ１２では、ＣＰＵ３８の制御に基づいて、カメラ操作の説明モードに移行し、次いで、ステップＳ１４で、ＣＰＵ３８が撮影モードへの切り換え指示を行う。即ち、液晶モニタ５４には、画面（１）に示すように、「１枚撮影してみましょう」及び「撮影モードに切り換えましょう」のメッセージと、操作部材としての撮影モード／再生モード切り換えレバー６の絵（写真も可）とが表示される。
【００３３】
ステップＳ１４の次は、ステップＳ１６へ移行して、ＣＰＵ３８が、シャッター（シャッターボタン）２の軽い押圧の指示を行う。即ち、液晶モニタ５４には、画面（２）に示すように、「オートフォーカス」及び「シャッターを軽く押してください」のメッセージと、操作部材としてのシャッターボタン２の絵（写真も可）と、シャッターを押すことを示す下向きの矢印とが表示される。シャッターボタン２を軽く押すと、オートフォーカスが動作する。
【００３４】
ステップＳ１６の次は、ステップＳ１８に移行して、ＣＰＵ３８が、シャッターボタン２の軽い押圧があったか否かを判別し、その判別結果がＮＯのときは、ステップＳ１８に戻って待機し、ＹＥＳのときは、ステップＳ２０に移行して、うまく押せている旨を表示する。即ち、液晶モニタ５４には、画面（３）に示すように、「オートフォーカス」及び「うまく押せています」のメッセージと、シャッターボタン２の絵と、シャッターを押すことを示す下向きの矢印とが表示される。
【００３５】
ステップＳ２０の次はステップＳ２２に移行して、ＣＰＵ３８が、シャッターボタン２の強い押圧の指示を行う。即ち、液晶モニタ５４には、画面（４）に示すように、「さあ撮影をしましょう」及び「シャッターを強く押してください」のメッセージと、シャッターボタン２の絵と、シャッターを押すことを示す下向きの矢印とが表示される。シャッターボタン２の強い押圧は、撮影動作を意味する。
【００３６】
ステップＳ２２の次は、ステップＳ２４に移行して、ＣＰＵ３８が、シャッターボタン２の強い押圧があったか否かを判別する。ステップＳ２４の判別結果がＮＯのときは、ステップＳ２４に戻って待機し、ＹＥＳのときは、ステップＳ２６に移行する。ステップＳ２６では、ＣＰＵ３８の制御の下に、撮像素子３４による撮影が行われ、撮像素子３４からの映像信号は、画像信号処理回路３６に供給されて画像信号処理されて、画像データが得られ、その画像データが、メディアコントローラ４０、カードインターフェース４２を通じてメモリカード６４に記憶される。
【００３７】
ステップＳ２６の次は、ステップＳ３０に移行して、ＣＰＵ３８が、再生モードへの切り換え指示、即ち、再生画像の閲覧の指示を行う。即ち、液晶モニタ５４には、画面（５）に示すように、「画像を見てみましょう」及び「再生モードに切り換えましょう」のメッセージと、撮影モード／再生モード切り換えレバー６の絵とが表示される。
【００３８】
ステップＳ３０の次は、ステップＳ３２に移行して、ＣＰＵ３８が、再生モードに切り換わったか否かを判別する。ステップＳ３２の判別結果がＮＯのときは、ステップＳ３２に戻って待機し、ＹＥＳのときは、ステップＳ３４に移行する。ステップＳ３４では、ＣＰＵ３８が、撮影画像の表示を行わせる。即ち、液晶モニタ５４には、画面（６）に示すように、撮影画像が表示されると共に、「うまく見えますか」のメッセージが表示される。
【００３９】
ステップＳ３４の次は、ステップＳ３６に移行して、ＣＰＵ３８が、各種設定を行うモードへ移行する方法を表示させる。即ち、画面（７）に示すように、例えば、「日付設定」、「音量」、「明るさ」、「リセット」の各モード項目が表示される。これらの各モード項目を指定するには、十字キー９による十字カーソルのモード項目への移動及び実行キー８の押圧によって行う。
【００４０】
ステップＳ３６の次は、ステップＳ３８に移行する。ステップＳ３８では、ＣＰＵ３８が、あるモード（「日付設定」、「音量」、「明るさ」、「リセット」の各モードの何れかを意味し、ここでは、例えば、日付設定のモード）が指定されたか否かを判別する。ステップＳ３８の判別結果がＮＯのときは、ステップＳ３８に戻って待機し、ＹＥＳのときは、ステップＳ４０に移行する。ステップＳ４０では、ＣＰＵ３８が、ステップＳ３８で指定した指定モード（ここでは、日付設定のモード）の説明を表示させる。即ち、液晶モニタ５４には、画面（８）に示すように、画面（７）に重なる如く、日付設定の説明として、「いつ撮ったか分かるように現在の時間を設定してください」のメッセージが表示される。その後、再度、十字キー９による十字カーソルのモード項目への移動及び実行キー８の押圧を行えば、各モード項目の入力画面へ移行するが、ここでは詳細説明を省略する。
【００４１】
ステップＳ４０の次は、ステップＳ４２に移行して、ＣＰＵ３８が、指定モードの説明は終了か否かの判別を行う。ステップＳ４２の判別結果がＮＯのときは、ステップＳ３８に戻って待機し、ＹＥＳのときは、ステップＳ４４へ移行する。ステップＳ４４では、ＣＰＵ３８が、入門編への移行の表示を行わせる。即ち、液晶モニタ５４には、画面（９）に示すように、「次は入門編」が表示される。
【００４２】
ステップＳ４４の次は、ステップＳ４６に移行して、ＣＰＵ３８が撮影モードへの切り換え指示を行う。即ち、液晶モニタ５４には、画面（１０）に示すように、「いろいろな撮影をしましょう」及び「撮影モードに切り換えましょう」のメッセージと、撮影モード／再生モード切り換えレバー６の絵とが表示される。
【００４３】
ステップＳ４６の次は、ステップＳ４８に移行して、ＣＰＵ３８が、撮影メニューを表示させる。即ち、液晶モニタ５４には、画面（１１）に示すように、「撮影メニュー」、「セルフタイマー」（セルフタイマー撮影を意味する）、「連写」（連写撮影を意味する）、「動画」（動画撮影を意味する）の撮影モードの項目と、「セルフタイマー」に表示に一部重なる如く、「まずは、セルフタイマー」のメッセージとが表示される。撮影モードの項目としては、この他に、シーン選択撮影等がある。これらの各モード項目を指定するには、十字キー９による十字カーソルのモード項目への移動及び実行キー８の押圧によって行うことによって、それぞれのモード項目の説明が表示され、再度の、十字キー９による十字カーソルのモード項目への移動及び実行キー２４の押圧によって、各モード項目の入力画面へ移行するが、ここでは詳細説明を省略する。
【００４４】
ステップＳ４８の次は、ステップＳ５０に移行して、ＣＰＵ３８が、再生モードへの切り換えの指示を行う。即ち、液晶モニタ５４には、画面（１２）に示すように、「再生の機能を知りましょう」及び「再生モードに切り換えましょう」のメッセージと、撮影モード／再生モード切り換えレバー６の絵とが表示される。
【００４５】
ステップＳ５０の次は、ステップＳ５２に移行して、ＣＰＵ３８が撮影メニューを表示させる。即ち、液晶モニタ５４には、画面（１３）に示す如く、「再生メニュー」のタイトルと、「削除」、「プロテクト」、「プリント」の各項目と、「削除」の項目に一部重なる如く、「いらない画像を消します」のメッセージとが表示される。これらの各モード項目を指定するには、十字キー９による十字カーソルのモード項目への移動及び実行キー８の押圧によって行うことによって、それぞれのモード項目の説明が表示され、再度の、十字キー９による十字カーソルのモード項目への移動及び実行キー８の押圧によって、各モード項目の入力画面へ移行するが、ここでは詳細説明を省略する。
【００４６】
ステップＳ５２の次は、ステップＳ５４に移行して、応用編へ移行するか否かを判別する。即ち、液晶モニタ５４には、画面（１４）に示す如く、「次は応用編。」及び「どうしますか？」のメッセージが表示される。このステップＳ５４の判別が、ＮＯのときは、キャンセルキー７を押せば、ステップＳ４４に戻り、ＹＥＳのときは、実行キー８を押せば、ステップＳ５６へ移行する。
【００４７】
ステップＳ５６では、ＣＰＵ３８の制御の下に、マニュアル撮影モードへ移行する。即ち、液晶モニタ５４には、画面（１５）に示す如く、「撮影メニュー」のタイトルと、「連写」、「動画」、「マニュアル」の項目と、「マニュアル」の項目と一部重なる「マニュアルモードへ移行します」の説明とが表示される。ここで、十字キー９によって十字カーソルを「マニュアル」の項目に移動させた後、実行キー８を押すと、ステップＳ５８へ移行する。尚、「連写」、「動画」の選択については、ここでは説明を省略する。
【００４８】
ステップＳ５８では、ＣＰＵ３８の制御の下に、マニュアル撮影メニューの表示モードに移行する。即ち、液晶モニタ５４には、画面１６に示す如く、「マニュアルメニュー」のタイトルと、「絞り」、「感度」、「露出補正」の項目と、「絞り」の項目に一部重なる如く、「絞り優先の絞り値を設定します」の説明とが表示される。十字キー９及び実行キー８の操作によって、「感度」、「露出補正」の項目の説明を表示させることができる。十字キー９及び実行キー８の再度の操作によって、絞り、感度、露出補正の入力画面に移行することができる。
【００４９】
ステップＳ５８の次は、ステップＳ６０に移行して、応用編終了のメッセージ表示に移行する。即ち、液晶モニタ５４には、画面（１７）に示す如く、「全て終了です。お疲れ様でした。」及び「うまく使いこなしてくださいね。」のメッセージが表示される。
【００５０】
ステップＳ１０の判別結果がＮＯのとき、即ち、電源スイッチＰＷの押圧による２回目以降の電源投入のときは、丸で囲まれたＡを通じて、ステップＳ６２に移行して、説明をうけるかを尋ねる表示が行われる。即ち、液晶モニタ５４には、画面（１８）に示すように、「説明をうけますか？」のメッセージが表示される。ステップＳ６２の次は、ステップＳ６４に移行して、各種設定を行うモードへの移行及び説明をうけない旨の表示を行う。即ち、画面（１９）に示すように、「音量」、「明るさ」、「リセット」の各設定項目と、「説明をうけない」の項目とが表示される。
【００５１】
ステップＳ６４の次は、ステップＳ６６に移行して、説明をうけないか否かの判別を行う。十字キー９及び実行キー８の操作によって、「説明をうけない」を選択すると、ステップＳ６６の判別はＹＥＳとなり、終わりとなる。十字キー９及び実行キー８の操作によって、「音量」、「明るさ」、「リセット」のいずれかの設定項目を選ぶと、ステップＳ３８に戻る。
【００５２】
上述の説明においては、本発明をデジタルカメラに適用した場合について述べたが、デジタルビデオカメラ、磁気記録再生装置付きデジタルビデオカメラ等にも適用することができる。
【００５３】
【発明の効果】
上述する本発明によれば、撮影モードと再生モードとを有し、撮影モード時に撮影した画像を記録媒体に記録すると共に、再生モード時に記録媒体に記録された画像を表示手段に表示させる電子カメラにおいて、撮影モード及び再生モード時の操作手順を含む操作方法を説明する説明モードを設定する説明モード設定手段と、説明モードが設定されると、操作すべき操作部材がある場合には、その操作部材の操作を促すための絵と文字とを表示手段の画面上に表示させるオンスクリーン表示制御手段と、オンスクリーン表示制御手段の制御による、表示手段の画面上に表示された操作内容に応じて該当する操作部材が適正に操作されると、オンスクリーン表示制御手段の制御による表示手段の表示画面を次の操作用の表示画面に更新させ、又は一連の操作が終了した場合には説明モードを終了させる制御手段と、を備えているので、初心者であっても、撮影モード及び再生モード時の操作を含む操作方法を容易に習得することのできる電子カメラを得ることができる。
【００５４】
上述の本発明の電子カメラにおいて、説明モード設定手段を、購入後に最初に電源が投入されると、自動的に説明モードに移行するように構成することにより、初心者は、単に購入後に最初に電源を投入するだけで、表示手段の画面に、撮影モード及び再生モード時の操作手順を含む操作方法の説明を容易に表示させることができる。
【００５５】
上述の本発明の電子カメラにおいて、説明モード設定手段を、電源投入時に説明モードで起動するか否かを手動操作によって選択する選択手段を有するように構成することにより、初心者の撮影モード及び再生モード時の操作手順を含む操作方法の習熟度に応じて、初心者が操作方法の説明を表示手段の画面に表示させるか否かを選択することができる。
【００５６】
上述の本発明の電子カメラにおいて、説明モード設定手段を、購入時からの撮影総枚数又は撮影時間が基準値に達すると、電源投入時に説明モードで起動することを禁止するように構成することにより、初心者の撮影モード及び再生モード時の操作手順を含む操作方法の習熟後は、操作手順を表示手段の画面に表示することなく、直ちに、撮影モードや再生モードに移行することができる。
【００５７】
上述の本発明の電子カメラにおいて、説明モード時に、表示手段の画面が各種の設定モードを設定する画面に移行すると、オンスクリーン表示制御手段は、表示手段の各種の設定モードを設定する画面上に、各種設定モードの内容を説明する文字を表示させるようにすることにより、初心者に各種設定モードの内容を容易に理解させることができる。
【図面の簡単な説明】
【図１】本発明の実施の形態の一例のデジタルカメラの背面図である。
【図２】そのデジタルカメラの回路構成例を示すブロック図である。
【図３】そのデジタルカメラの動作説明に供するフローチャートである。
【図４】そのデジタルカメラの動作説明に供する図３のフローチャートの続きを示すフローチャートである。
【図５】そのデジタルカメラの動作説明に供する液晶モニタの画面を示す説明図である。
【図６】そのデジタルカメラの動作説明に供する液晶モニタの画面を示す説明図である。
【図７】そのデジタルカメラの動作説明に供する液晶モニタの画面を示す説明図である。
【図８】そのデジタルカメラの動作説明に供する液晶モニタの画面を示す説明図である。
【図９】そのデジタルカメラの動作説明に供する液晶モニタの画面を示す説明図である。
【符号の説明】
１…モード設定ダイヤル、２…シャッターボタン、６…撮影モード／再生モード切換レバー、５４…液晶モニタ
【図１】
2004173029.tif 000003
【図２】
2004173029.tif 000004
【図３】
2004173029.tif 000005
【図４】
2004173029.tif 000006
【図５】
2004173029.tif 000007
【図６】
2004173029.tif 000008
【図７】
2004173029.tif 000009
【図８】
2004173029.tif 000010
【図９】
2004173029.tif 000011